(57)【要約】  本発明に係るスマートコントローラは、無線で携帯端末と通信し、該携帯端末を制御するスマートコントローラに関するものであって、側方向加圧により第１信号を発生させる方向ボタン、及び前記方向ボタンの中央部または一側に配置されて下向き加圧により第２信号を発生させる選択ボタンを有するメインボタン部と、前記メインボタン部の動作モードを変更し、または前記携帯端末の特定機能を行うために設けられた少なくとも一つのボタンを有する補助ボタン部と、を備える。
2020521264.tif 000002
【特許請求の範囲】
【請求項１】
無線で携帯端末と通信し、該携帯端末を制御するスマートコントローラにおいて、
側方向加圧により第１信号を発生させる方向ボタン、及び前記方向ボタンの中央部または一側に配置され、下向き加圧により第２信号を発生させる選択ボタンを有するメインボタン部と、
前記メインボタン部の動作モードを変更し、または前記携帯端末の特定機能を行うために設けられた少なくとも一つのボタンを有する補助ボタン部と、を備えるスマートコントローラ。
【請求項２】
前記補助ボタン部は、前記メインボタン部の動作モードをキーボードモードに設定する第１ボタンを有する請求項１に記載のスマートコントローラ。
【請求項３】
前記第１ボタンの操作により、前記メインボタン部の動作モードがキーボードモードに設定される場合、前記第１信号は、前記方向ボタンの加圧方向に基づいて発生する方向切換信号であり、前記第２信号は、選択または実行信号である請求項２に記載のスマートコントローラ。
【請求項４】
前記補助ボタン部は、前記メインボタン部の動作モードをマウスモードに設定する第２ボタンを有する請求項１に記載のスマートコントローラ。
【請求項５】
前記第２ボタンの操作により、前記メインボタン部の動作モードがマウスモードで動作する場合、前記第１信号は、前記方向ボタンの加圧方向に基づいて発生するマウスポインティング信号であり、前記第２信号は、選択または実行信号である請求項４に記載のスマートコントローラ。
【請求項６】
前記第１信号がマウスポインティング信号である状態で、前記第２ボタンを動作させる場合、前記第１信号は、マウスポインティング信号からスクロール信号またはドラッグ信号に切り換えられ、
前記スクロール信号またはドラッグ信号への切換えは、前記第２ボタンの動作維持時間または動作回数に基づいて選択的に行われる請求項５に記載のスマートコントローラ。
【請求項７】
前記補助ボタン部は、初期画面復帰信号または戻り信号が発生するように設定する第３ボタンを有する請求項１に記載のスマートコントローラ。
【請求項８】
前記第３ボタンの動作維持時間または動作回数に基づき、前記初期画面復帰信号及び前記戻り信号が選択的に発生する請求項７に記載のスマートコントローラ。
【請求項９】
前記方向ボタンを第１方向へ加圧する場合、前記第１信号は、特定方向のマウスポインティング信号であり、前記方向ボタンの第１方向への加圧が予め設定された時間以上維持される場合、前記第１信号は、前記特定方向のマウスポインティング信号から、前記特定方向に向かうスクロール信号またはドラッグ信号に切り換えられる請求項４に記載のスマートコントローラ。
【請求項１０】
前記特定方向に向かうスクロール信号またはドラッグ信号が発生する状態で、前記方向ボタンの加圧方向を、前記第１方向から前記第１方向とは反対方向または前記第１方向と９０°角度をなす方向に切り換える場合、前記第１信号は、スクロール信号またはドラッグ信号からマウスポインティング信号に再度切り換えられる請求項９に記載のスマートコントローラ。
【請求項１１】
前記メインボタン部の動作モードがマウスモードである場合、前記方向ボタンを予め設定された時間以内に、予め設定された回数で動作させると、前記第１信号は、マウスポインティング信号からスクロール信号またはドラッグ信号に切り換えられる請求項４に記載のスマートコントローラ。
【請求項１２】
前記メインボタン部の動作モードがマウスモードである場合、前記選択ボタンの動作に基づき、前記第１信号がマウスポインティング信号からスクロール信号またはドラッグ信号に切り換えられ、
前記スクロール信号またはドラッグ信号への切換えは、前記選択ボタンの動作維持時間または動作回数に基づいて行われる請求項４に記載のスマートコントローラ。
【請求項１３】
前記第１信号がスクロール信号またはドラッグ信号である状態で、前記選択ボタンを動作させる場合、前記スクロール信号はマウスポインティング信号に切り換えられ、前記ドラッグ信号はドロップ信号に切り換えられる請求項６、請求項８乃至請求項１２のうちいずれか一項に記載のスマートコントローラ。
【請求項１４】
前記補助ボタン部は、前記携帯端末にインストールされた特定アプリケーションを実行させるための第４ボタンを有する請求項１に記載のスマートコントローラ。
【請求項１５】
前記第４ボタンの動作維持時間及び動作回数の少なくとも一つに基づき、それぞれ異なるアプリケーションが実行される請求項１４に記載のスマートコントローラ。
【請求項１６】
前記第４ボタンの動作を予め設定された時間以下で維持させると、第１アプリケーションが実行され、
前記第４ボタンの動作を予め設定された時間を超えて維持させると、第２アプリケーションが実行され、
前記第４ボタンを予め設定された時間以内に２回動作させると、第３アプリケーションが実行される請求項１５に記載のスマートコントローラ。
【請求項１７】
前記選択ボタンの動作維持時間及び動作回数の少なくとも一つに基づき、それぞれ異なる制御信号が発生する請求項１に記載のスマートコントローラ。
【請求項１８】
前記選択ボタンの動作を予め設定された時間を超えて維持させる場合、特定アプリケーションの実行信号が発生する請求項１７に記載のスマートコントローラ。
【請求項１９】
前記選択ボタンの動作を予め設定された時間を超えて維持させ、または予め設定された時間以内に２回以上動作させる場合、初期画面復帰信号または戻り信号が発生する請求項１７に記載のスマートコントローラ。
【請求項２０】
前記選択ボタンと前記補助ボタン部に設けられたいずれか一つのボタンを同時に動作させる場合、前記携帯端末とのペアリングが実行される請求項１に記載のスマートコントローラ。
【請求項２１】
前記選択ボタンと前記補助ボタン部に設けられたいずれか一つのボタンを同時に動作させる場合、前記第１信号の方向が反対に切り換えられる請求項１に記載のスマートコントローラ。
【請求項２２】
前記メインボタン部及び前記補助ボタン部を受容する第１胴体と、
前記第１胴体を受容するための受容部が形成され、底面または側面には、前記携帯端末と連結されるように連結部が形成される第２胴体と、をさらに備える請求項１に記載のスマートコントローラ。
【請求項２３】
前記受容部は、前記第２胴体の上部の一側に形成され、
前記第２胴体の他側には、ユーザが指を入れて前記携帯端末を保持可能なように形成された保持部をさらに有する請求項２２に記載のスマートコントローラ。
【請求項２４】
前記第２胴体は、一側が前記携帯端末と接触結合される垂直部と、前記垂直部の他側から水平方向に延びて形成される水平部とを有し、
前記第２胴体の一側が前記携帯端末の底面と接触結合する場合、前記受容部は、前記携帯端末の底面と前記水平部との間に形成され、
前記第１胴体は、前記受容部に摺動挿入され、前記第２胴体と結合される請求項２２に記載のスマートコントローラ。
【請求項２５】
前記水平部には、ユーザが指を入れて前記携帯端末を保持可能なように形成された保持部を有する請求項２４に記載のスマートコントローラ。
【請求項２６】
前記第１胴体の底面には、磁性体が配置される請求項２４に記載のスマートコントローラ。
【請求項２７】
前記水平部の下側には、前記第１胴体の摺動挿入をガイドするための第１溝または第１突起が形成され、
前記第１胴体の上面には、前記第１溝または第１突起と対応する第２突起または第２溝が形成される請求項２４に記載のスマートコントローラ。
【発明の詳細な説明】
【技術分野】
【０００１】
本発明は、コントローラに係り、具体的には、スマートフォンなどの携帯端末または無線通信装置の入力信号を発生させることができるスマートコントローラに関する。
【背景技術】
【０００２】
近年、スマートフォンなどの携帯可能な端末が多く市販されている。
【０００３】
一方、従来のスマートフォンでは、携帯し易く、電話本来の機能である通話に忠実であるように小さなサイズの液晶が用いられたが、最近、ユーザは、携帯性よりは、広い画面からさらに多くの情報を得ることを好む傾向にあるので、大きなサイズの液晶を備えたスマートフォンが益々増えつつある。
【０００４】
しかしながら、スマートフォンのサイズの増大により、ユーザの視覚的快適性は満足させ得るが、スマートフォンを片手で制御し難くなるという問題点があった。
【０００５】
また、スマートフォンの場合、殆どの入力は、タッチスクリーンにより行われるが、スマートフォンを使ってゲームをするときは、精巧な操作が容易ではないだけでなく、タッチスクリーン上に表示された操作ボタンを手で入力して操作すると、操作ボタンや手によりディスプレイが遮られてしまうという問題点があった。
【発明の概要】
【発明が解決しようとする課題】
【０００６】
本発明に係るスマートコントローラは、上記した問題点を解決するために、以下のような解決課題を目的とする。
【０００７】
大きなサイズのディスプレイを備えた携帯端末であっても、ユーザが片手で自由でかつ簡単に携帯端末を操作可能に構成されたスマートコントローラを提供することである。
【０００８】
本発明が解決しようとする課題は、上述したものに限定されず、言及されていない他の解決課題などは、以下の記載に基づき、当該技術の分野における通常の知識を有する者にとって明確に理解されるはずである。
【課題を解決するための手段】
【０００９】
本発明に係るスマートコントローラは、無線で携帯端末と通信し、該携帯端末を制御するスマートコントローラに関するものであって、側方向加圧により第１信号を発生させる方向ボタン、及び前記方向ボタンの中央部または一側に配置され、下向き加圧により第２信号を発生させる選択ボタンを有するメインボタン部と、前記メインボタン部の動作モードを変更し、または前記携帯端末の特定機能を行うために設けられた少なくとも一つのボタンを有する補助ボタン部と、を備える。
【００１０】
前記補助ボタン部は、前記メインボタン部の動作モードをキーボードモードに設定する第１ボタンを有することが好ましい。
【００１１】
前記第１ボタンの操作により、前記メインボタン部の動作モードがキーボードモードに設定される場合、前記第１信号は、前記方向ボタンの加圧方向に基づいて発生する方向切換信号であり、前記第２信号は、選択または実行信号であることが好ましい。
【００１２】
前記補助ボタン部は、前記メインボタン部の動作モードをマウスモードに設定する第２ボタンを有することが好ましい。
【００１３】
前記第２ボタンの操作により、前記メインボタン部の動作モードがマウスモードで動作する場合、前記第１信号は、前記方向ボタンの加圧方向に基づいて発生するマウスポインティング信号であり、前記第２信号は、選択または実行信号であることが好ましい。
【００１４】
前記第１信号がマウスポインティング信号である状態で、前記第２ボタンを動作させる場合、前記第１信号は、マウスポインティング信号からスクロール信号またはドラッグ信号に切り換えられ、前記スクロール信号またはドラッグ信号への切換えは、前記第２ボタンの動作維持時間または動作回数に基づいて選択的に行われることが好ましい。
【００１５】
前記補助ボタン部は、初期画面復帰または戻り信号が発生するように設定する第３ボタンを有することが好ましい。
【００１６】
前記第３ボタンの動作維持時間または動作回数に基づき、前記初期画面復帰信号及び前記戻り信号が選択的に発生することが好ましい。
【００１７】
前記方向ボタンを第１方向へ加圧する場合、前記第１信号は、特定方向のマウスポインティング信号であり、前記方向ボタンの第１方向への加圧が予め設定された時間以上維持される場合、前記第１信号は、前記特定方向のマウスポインティング信号から、前記特定方向に向かうスクロール信号またはドラッグ信号に切り換えられることが好ましい。
【００１８】
前記特定方向に向かうスクロール信号またはドラッグ信号が発生する状態で、前記方向ボタンの加圧方向を、前記第１方向から前記第１方向とは反対方向または前記第１方向と９０°角度をなす方向に切り換える場合、前記第１信号は、スクロール信号またはドラッグ信号からマウスポインティング信号に再度切り換えられることが好ましい。
【００１９】
前記メインボタン部の動作モードがマウスモードである場合、前記方向ボタンを予め設定された時間以内に、予め設定された回数で動作させると、前記第１信号は、マウスポインティング信号からスクロール信号またはドラッグ信号に切り換えられることが好ましい。
【００２０】
前記メインボタン部の動作モードがマウスモードである場合、前記選択ボタンの動作に基づき、前記第１信号がマウスポインティング信号からスクロール信号またはドラッグ信号に切り換えられ、前記スクロール信号またはドラッグ信号への切換えは、前記選択ボタンの動作維持時間または動作回数に基づいて行われることが好ましい。
【００２１】
前記第１信号がスクロール信号またはドラッグ信号である状態で、前記選択ボタンを動作させる場合、前記スクロール信号はマウスポインティング信号に切り換えられ、前記ドラッグ信号はドロップ信号に切り換えられることが好ましい。
【００２２】
前記補助ボタン部は、前記携帯端末にインストールされた特定アプリケーションを実行させるための第４ボタンを有することが好ましい。
【００２３】
前記第４ボタンの動作維持時間及び動作回数の少なくとも一つに基づき、それぞれ異なるアプリケーションが実行されることが好ましい。
【００２４】
前記第４ボタンの動作を予め設定された時間以下で維持させると、第１アプリケーションが実行され、前記第４ボタンの動作を予め設定された時間を超えて維持させると、第２アプリケーションが実行され、前記第４ボタンを予め設定された時間以内に２回動作させると、第３アプリケーションが実行されることが好ましい。
【００２５】
前記第２信号は、前記選択ボタンの動作維持時間及び動作回数の少なくとも一つに基づき、それぞれ異なる制御信号が発生することが好ましい。
【００２６】
前記選択ボタンの動作を予め設定された時間を超えて維持させる場合、特定アプリケーションの実行信号が発生することが好ましい。
【００２７】
前記選択ボタンの動作を予め設定された時間を超えて維持させ、または予め設定された時間以内に２回以上動作させる場合、初期画面復帰信号または戻り信号が発生することが好ましい。
【００２８】
前記選択ボタンと前記補助ボタン部に設けられたいずれか一つのボタンを同時に動作させる場合、前記携帯端末とのペアリングが実行されることが好ましい。
【００２９】
前記選択ボタンと前記補助ボタン部に設けられたいずれか一つのボタンを同時に動作させる場合、前記第１信号の方向が反対に切り換えられることが好ましい。
【００３０】
前記メインボタン部及び前記補助ボタン部を受容する第１胴体と、前記第１胴体を受容するための受容部が形成され、底面または側面には、前記携帯端末と連結されるように連結部が形成される第２胴体と、をさらに備えることが好ましい。
【００３１】
前記受容部は、前記第２胴体の上部の一側に形成され、前記第２胴体の他側には、ユーザが指を入れて前記携帯端末を保持可能なように形成された保持部をさらに有することが好ましい。
【００３２】
前記第２胴体は、一側が前記携帯端末と接触結合される垂直部と、前記垂直部の他側から水平方向に延びて形成される水平部とを有し、前記第２胴体の一側が前記携帯端末の底面と接触結合する場合、前記受容部は、前記携帯端末の底面と前記水平部との間に形成され、前記第１胴体は、前記受容部に摺動挿入され、前記第２胴体と結合されることが好ましい。
【００３３】
前記水平部には、ユーザが指を入れて前記携帯端末を保持可能なように形成された保持部を有することが好ましい。
【００３４】
前記第１胴体の底面には、磁性体が配置されることが好ましい。
【００３５】
前記水平部の下側には、前記第１胴体の摺動挿入をガイドするための第１溝または第１突起が形成され、前記第１胴体の上面には、前記第１溝または第１突起と対応する第２突起または第２溝が形成されることが好ましい。
【発明の効果】
【００３６】
本発明に係るスマートコントローラは、携帯端末、携帯電話ケースまたは無線通信装置に脱着可能なように形成されるが、携帯電話または無線通信装置の少なくとも一つを制御するための入力部を備えることにより、ユーザが携帯端末を片手で支持するとともに、携帯端末の制御が可能であるので、ユーザの携帯端末の使い勝手を増大させることができる効果がある。
【００３７】
さらには、入力ボタンを押しボタン及び押圧ボタンの組合せによる多様な信号の生成が可能なように構成することにより、原価節減及び携帯端末の高さ制約を克服できる携帯端末ケースを提供することができるという効果がある。
【００３８】
本発明の効果は、上述したものに限定されず、言及されていない他の効果は、以下の記載に基づき、当該技術分野における通常の知識を有する者にとって明確に理解されるはずである。
【図面の簡単な説明】
【００３９】
【図１】本発明の一実施形態に係るスマートコントローラを示す斜視図である。
【図２】本発明の一実施形態に係るスマートコントローラの構成のうち、メインボタン部として活用可能なスマートボタンの実施形態を示す図である。
【図３】本発明の一実施形態に係るスマートコントローラの構成のうち、メインボタン部として活用可能なスマートボタンの実施形態を示す図である。
【図４】本発明の一実施形態に係るスマートコントローラのキーボードモード動作を説明するための図である。
【図５】本発明の一実施形態に係るスマートコントローラのマウスモード動作を説明するための図である。
【発明を実施するための形態】
【００４０】
添付された図面を参照して、本発明に係る好適な実施形態について詳述するが、図面符号を問わず、同一でありまたは類似した構成要素には、同一の参照番号を付け、それについての重複説明を省略する。
【００４１】
また、本発明を説明するにあたって、関連した公知技術についての具体的な説明が本発明の要旨を曖昧にし得ると判断される場合、その詳細な説明を省略する。また、添付された図面は、ただ本発明の思想を容易に理解させるためのものであり、添付された図面により本発明の思想が制限されるものと解釈されてはならないことを留意しなければならない。
【００４２】
以下、図１乃至図５を参照して、本発明の一実施形態に係るスマートコントローラについて説明する。
【００４３】
図１は、本発明の一実施形態に係るスマートコントローラを示す斜視図であり、図２及び図３は、本発明の一実施形態に係るスマートコントローラの構成のうち、メインボタン部として活用可能なスマートボタンの実施形態を示す図であり、図４は、本発明の一実施形態に係るスマートコントローラのキーボードモード動作を説明するための図であり、図５は、本発明の一実施形態に係るスマートコントローラのマウスモード動作を説明するための図である。
【００４４】
本発明の一実施形態に係るスマートコントローラは、携帯端末１０を制御するスマートコントローラに関するものであって、携帯端末１０との有線通信を通じて携帯端末１０を制御することもできるが、ブルートゥース（登録商標）などの無線通信を用いて携帯端末１０を制御することが好ましい。
【００４５】
このようなスマートコントローラは、図1に示すように、携帯端末１０の多様な制御信号を発生させるための入力部であるメインボタン部１００及び補助ボタン部２００を備え、これについての具体的な内容は後述する。
【００４６】
また、本発明の一実施形態に係るスマートコントローラは、上述したメインボタン部１００及び補助ボタン部２００を受容するための本体３００を備え、このような本体３００の下面には、携帯端末１０または携帯端末１０を受容するケースの底面に付着するための連結部材を備えてもよい。
【００４７】
特に、本発明の一実施形態に係るスマートコントローラの本体３００は、ユーザが人差し指または中指などの指を入れて、携帯端末１０等が保持可能に構成された保持部をさらに有する。
【００４８】
このような保持部は、本体３００の上面に配置されるが、ユーザが指を入れたまま、上述したメインボタン部１００または補助ボタン部２００を挿入された指で操作するように、メインボタン部１００及び補助ボタン部２００と一定の距離だけ離隔して配置されることが好ましい。
【００４９】
このような保持部は、図1に示すように、本体３００の上面に左右方向へ回動可能なように設置される連結部材４１０、及び前記連結部材４１０と上下方向へ回動可能なように結合するリング部材４２０を有してもよい。
【００５０】
これにより、リング部材４２０は、本体３００を中心として上下左右への回動が可能である。
【００５１】
また、保持部は、図１とは異なり、その一端及び他端が、本体３００の一側面及び他側面にそれぞれ連結されるが、保持部が、本体３００を中心として上下方向へ回動可能に連結されるように形成されてもよい。
【００５２】
併せて、本発明の一実施形態に係るスマートコントローラは、電源を供給するためのバッテリーを有し、このようなバッテリーは、充電可能なバッテリーであって、本体３００には、バッテリーの充電のためのコネクタ端子５１０が設けられてもよい。
【００５３】
このようなコネクタ端子は、スマートコントローラが受容または付着している携帯端末１０のコネクタ端子と同一のものを用いることにより、ユーザの便宜を図ることが好ましい。
【００５４】
また、本発明の一実施形態に係るスマートコントローラは、スマートコントローラの動作状態を確認可能なＬＥＤ５２０を備えてもよい。
【００５５】
一方、本発明の一実施形態に係るスマートコントローラは、図１とは異なり、２つの胴体で構成されてもよい。
【００５６】
例えば、携帯端末１０の制御信号を発生させるためのメインボタン部１００及び補助ボタン部２００などを受容する第１胴体と、携帯端末１０と連結される連結部と上述した保持部が付着される第２胴体と、が別途に備えられてもよい。
【００５７】
このとき、第２胴体には、第１胴体を受容するための受容部が形成され、第２胴体は、第１胴体に脱着可能なように構成されることにより、必要に応じて、第１胴体を携帯端末の裏面に付着し使用して携帯端末１０を制御してもよく、或いは、第１胴体を第２胴体と分離させて携帯端末１０を遠隔で制御してもよい。
【００５８】
また、第２胴体を“フ”字状に形成し、第１胴体を、第２胴体と携帯端末１０の底面との間に形成された受容部へ摺動挿入させることにより、第１胴体及び第２胴体を結合させてもよい。
【００５９】
具体的に、第２胴体は、一側が携帯端末１０と接触結合する垂直部、及び前記垂直部の他側から水平方向に延長して形成される水平部を有する。
【００６０】
第２胴体の一側には、携帯端末１０と接触するための接着部が形成され、第２胴体の一側が、携帯端末１０の底面と接触して結合する場合、受容部は、携帯端末１０の底面と水平部との間に形成される。
【００６１】
このとき、第１胴体は、受容部に摺動挿入されて、第２胴体と結合されてもよい。
【００６２】
特に、水平部は、ユーザが指を嵌め込み、携帯端末が保持可能なように形成された保持部を有し、例えば、上述した連結部材４１０が水平部に回動可能なように水平部の上側に形成され、リング部材４２０が連結部材４１０に上下へ回動可能なように結合されてもよい。
【００６３】
一方、第１胴体が第２胴体の受容部に摺動挿入される場合には、第１胴体の遊動がなく、ユーザが、メインボタン部及び補助ボタン部を操作し易くなる。
【００６４】
このため、第１胴体の底面に磁性体を配置することにより、第１胴体を携帯端末１０に堅固に固定させることができる。
【００６５】
さらに、第２胴体の水平部の下側には、第１胴体の摺動挿入をガイドするための第１溝または第１突起が形成され、第１胴体の上面には、第１溝または第１突起と対応する第２突起または第２溝を設けてもよく、これにより、第１胴体が第２胴体に正確に挿入され、第１胴体と第２胴体の堅固な結合が可能になる。
【００６６】
以下、上述したメインボタン部１００及び補助ボタン部２００について、さらに具体的に説明する。
【００６７】
メインボタン部１００は、図１に示すように、大別して方向ボタン１１０と、選択ボタン１２０とからなる。
【００６８】
方向ボタン１１０は、側方向への加圧により方向に関連した第１信号を発生させる機能を行い、選択ボタン１２０は、方向ボタン１１０の中央部または一側に配置されるが、下向き加圧により第２信号を発生させる機能を行う。
【００６９】
一方、上述したメインボタン部１００には、図２及び図３に示すスマートボタンが用いられ、これにより、メインボタン部１００の構造及び機能の実現が可能となる。
【００７０】
まず、図２を参照して、本発明に係るスマートコントローラに用いられるメインボタン部１００の一例について説明する。
【００７１】
本発明に係るスマートコントローラに用いられるメインボタン部１００は、大別してハウジング１１１０、押しボタン１１２０、センサ１１３０、及び接点１１４０を有する。
【００７２】
ハウジング１１１０は、上側が開放した内側空間が設けられるように形成される。
【００７３】
押しボタン１１２０は、ハウジング１１１０に設けられた内側空間に定着し、内側空間に定着した状態で固定されるのではなく、前後及び左右などの側方向へ一定の距離だけ動かすようになる。
【００７４】
センサ１１３０は、押しボタン１１２０の外側面またはハウジング１１１０の内側面のうち、いずれか一方に設けられ、接点１１４０は、押しボタン１１２０の外側面またはハウジング１１１０の内側面のうち、他方に設けられる。
【００７５】
具体的に、このようなセンサ１１３０は、２つ以上の端子スイッチを有するフレキシブルプリント回路基板により形成され、このとき、端子スイッチがセンサ１１３０の役割を行うようになる。
【００７６】
接点１１４０は、導電体で形成されることが好ましく、結局、押しボタン１１２０を側方向へ押したとき、押しボタン１１２０が動く方向に位置するセンサ１１３０に接点１１４０が接触し、接触したセンサ１１３０に割り当てられた入力信号が発生する。
【００７７】
ここから
このように側方向へボタンを押して加圧することにより入力信号が発生する押し方式の入力ボタンは、既に様々な構造で提案されているが、従来の押し方式の入力ボタンは、側方向への加圧を感知するための加圧センサが必ず要求されるので、信号入力装置の製造コストが極めて高まるほかないという短所があった。
【００７８】
特に、ボタンをどの方向へ押すかによって異なる種類の入力信号が発生するようになる場合、加圧力が印加される各方向別に１つずつ加圧センサが装着されなければならないので、上記した製造コストの問題は、さらに大きくなるという短所があった。
【００７９】
しかし、本発明に係るスマートコントローラに用いられるメインボタン部１００の一例によれば、各方向別に、別途の加圧センサ無しでも、側傍へ加圧力が印加されたとき、該当方向によってそれぞれ異なる種類の入力信号を発生させるという長所がある。
【００８０】
一方、前記押しボタン１１２０が、いずれか一側に押されて移動することにより、接点１１４０がいずれか一つのセンサ１１３０を接続させた後、前記押しボタン１１２０に印加されていた加圧力が解除されたとき、前記センサ１１３０が接続された状態がもしも維持し続ければ、ユーザの意図に反して入力信号が持続的に発生することがある。
【００８１】
このような問題点を解決するために、前記押しボタン１１２０が側方向に移動したとき、前記センサ１１３０と前記接点１１４０が離隔するように、前記押しボタン１１２０の位置を復帰させる弾性部材１１６０をさらに有することが好ましい。
【００８２】
このように弾性部材１１６０が設けられると、前記押しボタン１１２０に印加された側方向への外力が解除されたとき、前記押しボタン１１２０は、前記弾性部材１１６０の弾性力により初期位置に復帰するので、センサ１１３０と接点１１４０が離隔した状態、すなわち、いかなる入力信号も発生しない状態となる。
【００８３】
また、本発明に係るスマートコントローラに用いられるメインボタン部１００の一例としては、図２に示すように、ハウジングの下端に配置されたスイッチ１１７０と、押しボタン１１２０の上面に配置される押圧ボタン１１５０とをさらに有してもよい。
【００８４】
押圧ボタン１１５０は、押しボタン１１２０を上向き貫通して、外部に露出し、下端が前記スイッチ１１７０に定着し、下向きへの加圧力が印加されるとき、下方へ押され、前記スイッチ１１７０を押圧することにより、押しボタン１１２０の移動によって発生する信号とは異なる信号を発生させることになる。
【００８５】
したがって、押しボタン１１２０と押圧ボタン１１５０の作動の組合せに基づき、多様な信号の発生が可能となり、ここで、押しボタン１１２０及び押圧ボタン１１５０は、それぞれ本発明の一実施形態に係るスマートコントローラにおける方向ボタン１１０及び選択ボタン１２０に対応する。
【００８６】
以下、図３を参照して、本発明に係るスマートコントローラに用いられるメインボタン部１００の他の例について説明する。
【００８７】
本発明に係るスマートコントローラに用いられるメインボタン部１００は、大別してベース部材１１８０、押しボタン１１２０、センサ部１１３０、及び接点１１４０からなる。
【００８８】
ベース部材１１８０は、底面１１８１、及び底面１１８１の中心部側に上向き突出した突出部１１８２を有する。
【００８９】
押しボタン１１２０は、突出部１１８２の上側に配置されるが、突出部１１８２の外面を取り囲んで下向きに形成された下向き側壁１１２１が形成される。
【００９０】
また、図３に示すように、突出部１１８２の外側面にはセンサ部１１３０が設けられ、下向き側壁１１２１の内側面には、突出部１１８２の外側面のうち、センサ部１１３０が配置された部分と対応する領域に接点１１４０が設けられる。
【００９１】
反対に、下向き側壁１１２１の内側面にセンサ部１１３０が設けられ、突出部１１８２の外側面には、下向き側壁１１２１の内側面のうち、センサ部１１３０が配置された部分と対応する領域に接点１１４０が設けられてもよい。
【００９２】
上記した構造において、押しボタン１１２０が側方向に移動すると、センサ１１３０及び接点１４００が相互接触することにより信号を発生させるが、具体的に、このような押しボタン１１２０は、上下方向へ動くのでなく、前後及び左右などの側方向へ一定の距離だけ動かすようになり、ユーザが、押しボタン１１２０を側方向へ押したとき、接点１１４０は、押しボタン１１２０が動く方向に位置するセンサ部１１３０に接触することにより、センサ部１１３０内に形成された複数のセンサのうち、該当するセンサに関連した入力信号が発生するようになる。
【００９３】
したがって、押しボタン１１２０は、回転せず、前後または左右方向のみに移動可能なように構成されなければならず、これは、押しボタン１１２０が回転可能であれば、ユーザが希望する該当センサと接点が接触しないことがあり、これにより、希望しない入力信号が発生してしまうからである。
【００９４】
一方、センサ部１１３０としては、タッチセンサまたは触覚センサが用いられ、製造コストの節減及び製品の軽量化などを考慮するとき、フレキシブル回路基板で構成することが好ましい。
【００９５】
すなわち、フレキシブル回路基板に少なくとも一つ以上のセンサが配置されるが、このようなセンサは、陽極端子及び陰極端子を有する端子スイッチで形成され、接点１１４０を導電体で形成することにより、押しボタン１１２０が側方向へ移動する場合、端子スイッチの陽極端子及び陰極端子がともに接点１１４０と接触することにより、前記陽極端子と前記陰極端子を短絡させ、これにより、入力信号を発生させる。
【００９６】
このような端子スイッチは、具体的に、陽極端子及び陰極端子を互いに離隔させて平行に配置させてもよく、さらには、水平方向に交互に配列される部位を有するように、すなわち、上下方向に凹凸パターンを有し、凹凸部位が行き違って噛み合うように配列される陽極端子及び陰極端子で構成され、前記陽極端子及び陰極端子は、相互凹凸部位が行き違って噛み合うように配置されるが、相互微細に離隔した状態を維持するように構成してもよい。
【００９７】
これとともに、接点１１４０の場合、前記陽極端子及び陰極端子の相互間の堅固な短絡のために、接触部位のみを突出させて形成してもよい。
【００９８】
また、押しボタン１１２０を側方向に移動させた後、再度、原位置に復帰させるための弾性部材１１６０をさらに有してもよく、このような弾性部材１１６０としては、押しボタン１１２０が側方向に移動するとき、圧縮されることにより、押しボタン１１２０に復元弾性力を印加するカーボンスポンジまたはシリコンなどの弾性材を用いることが好ましい。
【００９９】
このような構造により、押しボタン１１２０と押圧ボタン１１５０の作動の組合せに基づき、多様な信号の発生が可能となり、ここで、押しボタン１１２０及び押圧ボタン１１５０は、それぞれ本発明の一実施形態に係るスマートコントローラにおける方向ボタン１１０及び選択ボタン１２０に対応する。
【０１００】
一方、本発明の一実施形態に係るスマートコントローラは、メインボタン部１００とは別途に形成された補助ボタン部２００を備えるが、このような補助ボタン部２００は、メインボタン部１００の動作モードを変更し、または携帯端末１０の特定機能を行うために設けられた少なくとも一つのボタンを有する。
【０１０１】
このような補助ボタン部２００は、メインボタン部１００の動作モードを決定するための第１ボタン２１０及び第２ボタン２２０を有してもよい。
【０１０２】
第１ボタン２１０は、メインボタン部１００の動作モードをキーボードモードに設定する機能を行い、ユーザが、第１ボタン２１０を押圧して、メインボタン部１００がキーボードモードで動作する場合、メインボタン部１００の方向ボタン１１０は、キーボードの方向キーとなり、選択ボタン１２０は、エンターキーとなる。
【０１０３】
具体的に、ユーザが第１ボタン２１０を押圧すれば、図４（ａ）に示すように、携帯端末１０のディスプレイ１１上に配列された複数のアプリケーションアイコンの一つであるＦアイコンに選択表示が出るようになる。
【０１０４】
このとき、ユーザが選択ボタン１２０を押圧すれば、Ｆアイコンに該当するアプリケーションが実行され、ユーザが選択ボタン１２０ではなく、方向ボタン１１０をいずれか一方向に加圧すれば、加圧方向または加圧方向とは反対方向に選択されるアイコンが変更される。
【０１０５】
例えば、図４の（ａ）に示すように、選択表示がＦアイコンに位置した状態で、ユーザが方向ボタン１１０を側方向へ加圧すれば、これにより発生する方向信号である第１信号が発生し、選択表示がＦアイコンからＧアイコンへ移動する。
【０１０６】
このとき、ユーザが選択ボタン１２０を押圧すれば、Ｇアイコンに該当するアプリケーションが実行される。
【０１０７】
すなわち、第１ボタン２１０の操作により、メインボタン部１００の動作モードがキーボードモードに設定される場合、第１信号は、方向ボタン１１０の加圧方向に基づいて発生する方向切換信号であり、第２信号は、選択信号または実行信号である。
【０１０８】
また、補助ボタン部２００は、メインボタン部１００の動作モードをマウスモードに設定する第２ボタン２２０を有してもよい。
【０１０９】
このような第２ボタン２２０の操作により、メインボタン部１００の動作モードがマウスモードで動作する場合、第１信号は、方向ボタン１１０の加圧方向に基づいて発生するマウスポインティング信号であり、第２信号は、選択または実行（クリック）信号である。
【０１１０】
具体的に、ユーザが第２ボタン２２０を押圧すれば、図５の（ａ）に示すように、携帯端末１０のディスプレイ１１上にマウスポインタ１３が表示される。
【０１１１】
このとき、ユーザが方向ボタン１１０を側方向に加圧すれば、図５（ｂ）に示すように、加圧方向または加圧方向とは反対方向へマウスポインタ１３が移動する。
【０１１２】
ユーザが方向ボタン１１０を用いてマウスポインタ１３を携帯端末１０のディスプレイ１１上に表示されたいずれか一つのアイコンの上に移動させてから、選択ボタン１２０を押圧すれば、該当アイコンに対応するアプリケーションが実行される。
【０１１３】
一方、一般のマウスは、上述したマウスポインティング機能及びクリック機能のみならず、ホイールを用いてスクロール（Ｓｃｒｏｌｌ）機能を行い、或いは、マウスのボタンを動作させる状態でマウスを移動させた後、ボタンの動作を解除する過程を用いて、ドラッグ／ドロップ（Ｄｒａｇ／Ｄｒｏｐ）機能を行うことができるが、本発明の一実施形態に係るスマートコントローラも、簡単な操作でスクロール機能及びドラッグ／ドロップ機能を行うことができ、これについては後述する。
【０１１４】
上述のように、ユーザが第２ボタン２２０を操作してメインボタン部１００の動作モードがマウスモードで動作する場合、方向ボタン１１０により発生する第１信号は、携帯端末１０のディスプレイ１１上に表示されたマウスポインタの動き信号であるマウスポインティング信号が発生する。
【０１１５】
この状態で、ユーザの簡単な操作で、方向ボタン１１０により発生する第１信号をマウスポインティング信号からスクロール信号またはドラッグ信号に切り換えることができるが、これらの様々な実施形態について説明する。
【０１１６】
先ず、第１実施形態として、ユーザが、再度、第２ボタン２２０を動作させる場合、第１信号は、マウスポインティング信号からスクロール信号またはドラッグ信号に切り換えられ、このようなマウスポインティング信号からスクロール信号またはドラッグ信号への切換えは、第２ボタン２２０の動作維持時間または動作回数に基づいて選択的に行われるようにしてもよい。
【０１１７】
例えば、ユーザが、第２ボタン２２０を予め設定された時間を超えて押圧すると、第１信号は、マウスポインティング信号からスクロール信号に切り換えられ、予め設定された時間以内に、その動作を解除すると、第１信号は、マウスポインティング信号からドラッグ信号に切り換えられるようにし、これとは反対に設定してもよい。
【０１１８】
また、ユーザが第２ボタン２２０を1回押圧すると、第１信号は、マウスポインティング信号からスクロール信号に切り換えられ、ダブルクリック（Ｄｏｕｂｌｅ  Ｃｌｉｃｋ）のように、予め設定された時間内に２回連続して押圧すると、第１信号は、マウスポインティング信号からドラッグ信号に切り換えられるようにし、これとは反対に設定してもよい。
【０１１９】
第２実施形態として、メインボタン部１００の選択ボタン１２０の動作に基づき、第１信号がマウスポインティング信号からスクロール信号またはドラッグ信号に切り換えられることが考えられ、このようなマウスポインティング信号からスクロール信号またはドラッグ信号への切換えは、選択ボタン１２０の動作維持時間または動作回数に基づいて選択的に行われるようにしてもよい。
【０１２０】
例えば、ユーザが選択ボタン１２０を予め設定された時間を超えて押圧すると、第１信号は、マウスポインティング信号からスクロール信号に切り換えられ、予め設定された時間以内に、その動作を解除すると、第１信号は、マウスポインティング信号からドラッグ信号に切り換えられるようにし、これとは反対に設定してもよい。
【０１２１】
また、ユーザが選択ボタン１２０を予め設定された時間内に２回連続して押圧すると、第１信号は、マウスポインティング信号からスクロール信号に切り換えられ、予め設定された時間内に３回連続して押圧すると、第１信号は、マウスポインティング信号からドラッグ信号に切り換えられるようにし、これとは反対に設定してもよい。
【０１２２】
第３実施形態として、方向ボタン１１０の加圧時間に基づき、第１信号がマウスポインティング信号からスクロール信号またはドラッグ信号に切り換えられることが考えられる。
【０１２３】
具体的に、方向ボタン１１０を第１方向に加圧すると、上述のように、第１信号は、第１方向または第１方向とは反対方向へのマウスポインティング信号であるが、このような第１方向への加圧が予め設定された時間を超えて維持されると、第１信号は、特定方向のマウスポインティング信号から特定方向に向かうスクロール信号またはドラッグ信号に切り換えられるように設定してもよい。
【０１２４】
特に、このような第３実施形態は、ユーザが携帯端末１０を通じてウェブトゥーン（「ｗｅｂｔｏｏｎ」は登録商標）などの縦方向に長くなったウェブページをみる場合、有用に用いられる。
【０１２５】
例えば、ユーザが携帯端末１０を通じてウェブページをみているとき、ユーザが方向ボタン１１０を下方向に加圧すると、第１信号であるマウスポインティング信号が発生し、マウスポインタが携帯端末１０のディスプレイ１１内において下方向に移動する。
【０１２６】
この状態で、このような方向ボタン１１０の下方向への加圧が予め設定された時間を超えて維持される場合、第１信号は、下方向のマウスポインティング信号から下方向のスクロール信号に切り換えられ、ウェブページが下方向に自動でスクロールされる。
【０１２７】
このとき、マウスポインタがディスプレイ１０内の最も下方向に置かれることにより、ユーザがマウスポインタの位置が探せないという問題点を防ぐため、周期的にマウスポインタがディスプレイ１０の中央部へ移動するように、マウスポインタ信号を周期的に発生させることが、ユーザの便宜性において好ましい。
【０１２８】
一方、上述した第１実施形態乃至第３実施形態により、マウスポインティング信号である第１信号がスクロール信号またはドラッグ信号に切り換えられた状態で、このようなスクロール信号またはドラッグ信号の発生を解除させなければならない状況が生じる。
【０１２９】
このため、第１信号がスクロール信号またはドラッグ信号である状態で、選択ボタン１２０を動作させると、スクロール信号は、マウスポインティング信号に切り換えられ、ドラッグ信号は、ドロップ信号に切り換えられるようにすることが好ましい。
【０１３０】
併せて、第３実施形態の場合、スクロール信号またはドラッグ信号の発生の解除を方向ボタン１１０の操作により行われるようにしてもよい。
【０１３１】
具体的に、方向ボタン１１０の第１方向への加圧が予め設定された時間以上維持され、特定方向に向かうスクロール信号またはドラッグ信号が発生する状態で、ユーザが方向ボタン１１０を再度操作するが、ユーザが、方向ボタン１１０を第１方向とは反対方向または第１方向と９０°角度をなす方向に加圧すると、第１信号は、スクロール信号またはドラッグ信号からマウスポインティング信号に再度切り換えられるようにしてもよい。
【０１３２】
一方、本発明の一実施形態に係るスマートコントローラにおける補助ボタン部２００は、初期画面(ホーム画面)復帰信号または戻り（Ｂａｃｋ）信号を発生させるための第３ボタン２３０を有してもよい。
【０１３３】
特に、一つの第３ボタン２３０のみで初期画面復帰信号及び戻り信号を全て発生させてもよいが、具体的に、第３ボタン２３０の動作維持時間または動作回数に基づき、初期画面復帰信号及び戻り信号が選択的に発生するように設定してもよい。
【０１３４】
例えば、ユーザが第３ボタン２３０を予め設定された時間を超えて押圧すると、初期画面復帰信号が発生し、予め設定された時間以内にその動作を解除すると、戻り信号が発生するようにし、これとは反対に設定してもよい。
【０１３５】
また、ユーザが第３ボタン２３０を１回押圧すると、初期画面復帰信号が発生し、ダブルクリックのように、予め設定された時間内に２回連続して押圧すると、戻り信号が発生するようにし、これとは反対に設定してもよい。
【０１３６】
一方、本発明の一実施形態に係るスマートコントローラの補助ボタン部２００は、携帯端末１０にインストールされた特定アプリケーションを実行させるための第４ボタンを有してもよい。
【０１３７】
特に、一つの第４ボタンのみで複数個の特定アプリケーションを実行させるため、第４ボタンの動作維持時間及び動作回数の少なくとも一つに基づき、それぞれ異なるアプリケーションを実行させることが好ましい。
【０１３８】
例えば、第４ボタンの動作を予め設定された時間以下で維持させると、第１アプリケーションが実行され、第４ボタンの動作を予め設定された時間を超えて維持させると、第２アプリケーションが実行され、第４ボタンを予め設定された時間以内に２回動作させると、第３アプリケーションが実行されるように設定してもよい。
【０１３９】
一方、本発明の一実施形態に係るスマートコントローラのメインボタン部１００に設けられた選択ボタン１２０の場合、主に選択／実行信号を発生させると説明したが、選択ボタン１２０の動作維持時間及び動作回数の少なくとも一つに基づき、それぞれ異なる制御信号が発生するように設定してもよい。
【０１４０】
具体的に、選択ボタン１２０の動作を予め設定された時間を超えて維持させる場合、特定アプリケーションの実行信号が発生するように設定することにより、選択ボタン１２０が上述した第４ボタンの機能を行うようにしてもよい。
【０１４１】
また、選択ボタン１２０の動作を予め設定された時間を超えて維持させ、または予め設定された時間以内に２回以上動作させると、初期画面復帰信号または戻り信号が発生するように設定し、これにより、選択ボタン１２０が上述した第３ボタンの機能を行うようにしてもよい。
【０１４２】
併せて、本発明の一実施形態に係るスマートコントローラは、メインボタン部１００及び補助ボタン部２００に設けられた多様なボタンのうち、少なくとも２つを同時に動作させることにより、多様な信号を発生させるようにしてもよい。
【０１４３】
具体的に、選択ボタン１２０と補助ボタン部２００に設けられたいずれか一つのボタンを同時に動作させることにより、スマートコントローラと携帯端末とのペアリング（Ｐａｒｉｎｇ）が実行されるようにしてもよい。
【０１４４】
さらには、選択ボタン１２０と補助ボタン部２００に設けられたいずれか一つのボタンを同時に動作させることにより、方向ボタン１１０により発生する第１信号の方向性が反対に切り換えられるようにしてもよい。
【０１４５】
図４及び図５に示すように、スマートコントローラの方向ボタン１２０が携帯端末１０の裏面に装着され、ディスプレイ１１と対向する方向に置かれた状態でスマートコントローラを操作する状況と、スマートコントローラを携帯端末から分離した後、方向ボタン１２０が携帯端末のディスプレイ１１と同一方向に置かれた状態でスマートコントローラを操作する状況が発生し得る。
【０１４６】
これらの２つの状況に応じて、方向ボタン１１０の左／右加圧方向とマウスポインタの左／右移動方向を、同一方向または反対方向に設定しなければならないので、選択ボタン１２０と補助ボタン部２００に設けられたいずれか一つのボタンを同時に動作させることにより、上述した方向設定を可能にすることが好ましい。
【０１４７】
以上、本発明について、好適な実施形態を用いて詳述したが、本発明の範囲は、特定の実施形態に限定されるものではなく、添付した特許請求の範囲により解釈されなければならないであろう。また、この技術分野における通常の知識を習得した者であれば、本発明の範囲から逸脱しない範囲内で、多くの修正と変形が可能であることが理解されるであろう。
【図１】
2020521264.tif 000003
【図２】
2020521264.tif 000004
【図３】
2020521264.tif 000005
【図４】
2020521264.tif 000006
【図５】
2020521264.tif 000007
【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
無線で携帯端末と通信し、該携帯端末を制御するスマートコントローラにおいて、
側方向加圧により第１信号を発生させる方向ボタン、及び前記方向ボタンの中央部または一側に配置され、下向き加圧により第２信号を発生させる選択ボタンを有するメインボタン部と、
前記メインボタン部の動作モードを変更し、または前記携帯端末の特定機能を行うために設けられた少なくとも一つのボタンを有する補助ボタン部と、を備えるスマートコントローラ。
【請求項２】
前記補助ボタン部は、前記メインボタン部の動作モードをキーボードモードに設定する第１ボタンを有し、
前記第１ボタンの操作により、前記メインボタン部の動作モードがキーボードモードに設定される場合、前記第１信号は、前記方向ボタンの加圧方向に基づいて発生する方向切換信号であり、前記第２信号は、選択または実行信号である請求項１に記載のスマートコントローラ。
【請求項３】
前記補助ボタン部は、前記メインボタン部の動作モードをマウスモードに設定する第２ボタンを有し、
前記第２ボタンの操作により、前記メインボタン部の動作モードがマウスモードで動作する場合、前記第１信号は、前記方向ボタンの加圧方向に基づいて発生するマウスポインティング信号であり、前記第２信号は、選択または実行信号である請求項１に記載のスマートコントローラ。
【請求項４】
前記第１信号がマウスポインティング信号である状態で、前記第２ボタンを動作させる場合、前記第１信号は、マウスポインティング信号からスクロール信号またはドラッグ信号に切り換えられ、
前記スクロール信号またはドラッグ信号への切換えは、前記第２ボタンの動作維持時間または動作回数に基づいて選択的に行われる請求項３に記載のスマートコントローラ。
【請求項５】
前記補助ボタン部は、初期画面復帰信号または戻り信号が発生するように設定する第３ボタンを有し、
前記第３ボタンの動作維持時間または動作回数に基づき、前記初期画面復帰信号及び前記戻り信号が選択的に発生する請求項１に記載のスマートコントローラ。
【請求項６】
前記補助ボタン部は、前記メインボタン部の動作モードをマウスモードに設定する第２ボタンを有し、
前記方向ボタンを第１方向へ加圧する場合、前記第１信号は、特定方向のマウスポインティング信号であり、前記方向ボタンの第１方向への加圧が予め設定された時間以上維持される場合、前記第１信号は、前記特定方向のマウスポインティング信号から、前記特定方向に向かうスクロール信号またはドラッグ信号に切り換えられる請求項１に記載のスマートコントローラ。
【請求項７】
前記特定方向に向かうスクロール信号またはドラッグ信号が発生する状態で、前記方向ボタンの加圧方向を、前記第１方向から前記第１方向とは反対方向または前記第１方向と９０°角度をなす方向に切り換える場合、前記第１信号は、スクロール信号またはドラッグ信号からマウスポインティング信号に再度切り換えられる請求項６に記載のスマートコントローラ。
【請求項８】
前記補助ボタン部は、前記メインボタン部の動作モードをマウスモードに設定する第２ボタンを有し、
前記メインボタン部の動作モードがマウスモードである場合、前記方向ボタンを予め設定された時間以内に、予め設定された回数で動作させると、前記第１信号は、マウスポインティング信号からスクロール信号またはドラッグ信号に切り換えられる請求項１に記載のスマートコントローラ。
【請求項９】
前記補助ボタン部は、前記メインボタン部の動作モードをマウスモードに設定する第２ボタンを有し、
前記メインボタン部の動作モードがマウスモードである場合、前記選択ボタンの動作に基づき、前記第１信号がマウスポインティング信号からスクロール信号またはドラッグ信号に切り換えられ、
前記スクロール信号またはドラッグ信号への切換えは、前記選択ボタンの動作維持時間または動作回数に基づいて行われる請求項１に記載のスマートコントローラ。
【請求項１０】
前記補助ボタン部は、前記携帯端末にインストールされた特定アプリケーションを実行させるための第４ボタンを有する請求項１に記載のスマートコントローラ。
【請求項１１】
前記第４ボタンの動作維持時間及び動作回数の少なくとも一つに基づき、それぞれ異なるアプリケーションが実行される請求項１０に記載のスマートコントローラ。
【請求項１２】
前記第４ボタンの動作を予め設定された時間以下で維持させると、第１アプリケーションが実行され、
前記第４ボタンの動作を予め設定された時間を超えて維持させると、第２アプリケーションが実行され、
前記第４ボタンを予め設定された時間以内に２回動作させると、第３アプリケーションが実行される請求項１１に記載のスマートコントローラ。
【請求項１３】
前記選択ボタンの動作維持時間及び動作回数の少なくとも一つに基づき、それぞれ異なる制御信号が発生する請求項１に記載のスマートコントローラ。
【請求項１４】
前記選択ボタンの動作を予め設定された時間を超えて維持させる場合、特定アプリケーションの実行信号が発生する請求項１３に記載のスマートコントローラ。
【請求項１５】
前記選択ボタンの動作を予め設定された時間を超えて維持させ、または予め設定された時間以内に２回以上動作させる場合、初期画面復帰信号または戻り信号が発生する請求項１３に記載のスマートコントローラ。
【請求項１６】
前記選択ボタンと前記補助ボタン部に設けられたいずれか一つのボタンを同時に動作させる場合、前記携帯端末とのペアリングが実行される請求項１に記載のスマートコントローラ。
【請求項１７】
前記選択ボタンと前記補助ボタン部に設けられたいずれか一つのボタンを同時に動作させる場合、前記第１信号の方向が反対に切り換えられる請求項１に記載のスマートコントローラ。
【請求項１８】
無線で携帯端末と通信し、該携帯端末を制御するスマートコントローラにおいて、
側方向加圧により第１信号を発生させる方向ボタンと、該方向ボタンの中央部または一側に配置されて下向き加圧により第２信号を発生させる選択ボタンと、を有するメインボタン部と、
前記メインボタン部の動作モードを変更し、または前記携帯端末の特定機能を行うために設けられた少なくとも一つのボタンを有する補助ボタン部と、
前記メインボタン部及び前記補助ボタン部を受容する第１胴体と、
前記第１胴体を受容するための受容部が形成され、底面または側面には、前記携帯端末と連結されるように連結部が形成される第２胴体と、を備えるスマートコントローラ。
【請求項１９】
前記受容部は、前記第２胴体の上部の一側に形成され、
前記第２胴体の他側には、ユーザが指を入れて前記携帯端末を保持可能なように形成された保持部をさらに有する請求項１８に記載のスマートコントローラ。
【請求項２０】
前記第１胴体の底面には、磁性体が配置される請求項１８に記載のスマートコントローラ。
【国際調査報告】
2020521264.tif 000008
2020521264.tif 000009
2020521264.tif 000010
2020521264.tif 000011